(57)【特許請求の範囲】
【請求項１】
クッション部材と足部が一体的に形成された緩衝部材を備えた便座又は便蓋において、前記足部の内方に爪部が形成され、前記便座又は便座の裏面に形成されたボス部の段差部に止め具が固定的に装着され、前記緩衝部材を便座又は便蓋に挿入することにより、前記爪部と前記止め具とが係着されて前記緩衝部材と便座又は便蓋が固定されることを特徴とする緩衝部材を備えた便座又は便蓋。
【請求項２】
前記便座又は便蓋にはリブが形成され、前記緩衝部材の足部外周には突起部が形成されており、緩衝部材挿入時、前記リブと前記突起部が弾性的に圧着されて緩衝部材と便座又は便蓋が固定されることを特徴とする請求項１記載の緩衝部材を備えた便座又は便蓋。
【発明の詳細な説明】
【０００１】
【産業上の利用分野】
本発明は、緩衝部材を備えた洋風便器に取付けられる便座又は便蓋に関する。
【０００２】
【従来の技術】
従来より、洋風便器において、便器及び便蓋の裏面には、その適数箇所に緩衝部材が取付けられていた。該緩衝部材は、閉動衝撃の吸収緩和や使用者が腰掛けた時の荷重吸収のためのものである。
【０００３】
この類の従来技術の公報として実公昭４４−９０２１号公報に示すようにポリプロピレン等の熱可塑性樹脂を材料として断面凹形に成形し、裏面数箇所にリブを設け、ここへ緩衝用の緩衝部材を挿入する形式の洋風便座において、リブが外側に開くのを防止するため、これに適数の障子隔壁を設けて、リブの間を２室又は３室に分割し、各室に垂直に棒状突起を一体的に形成し、緩衝部材にこれに対応する穴を穿って、固くはめ込むようにした洋風便座があった。
【０００４】
また他の従来技術として、実公昭４９−３０６８８号公報に示すように、本体に設けた脚孔に緩衝部材を嵌め合わすとともに両者間を接着剤の入ることができるたまり凹部を設けてなる緩衝部材取り付ける装置が開示されている。
【０００５】
【発明が解決しようとする課題】
しかしながら、上記従来技術は、接着剤の塗布量が少ない場合及び締め代が少ない場合には、便座や便蓋の開閉等の衝撃や劣化等で緩衝部材が簡単に外れてしまう。また便座や便蓋の材質がポリプロピレンのような難接着材料の場合は接着することが困難である。
【０００６】
本発明は上記課題を解決したもので、便座や便蓋の開閉等の衝撃や劣化等で緩衝部材が簡単に外れてしまわない強固な緩衝部材を備えた便座又は便蓋を提供するものである。
【０００７】
【課題を解決するための手段】
上記技術的課題を解決するために、本発明の請求項１において講じた技術的手段（以下、第１の技術的手段と称する。）は、クッション部材と足部が一体的に形成された緩衝部材を備えた便座又は便蓋において、前記足部の内方に爪部が形成され、前記便座又は便座の裏面に形成されたボス部の段差部に止め具が固定的に装着され、前記緩衝部材を便座又は便蓋に挿入することにより、前記爪部と前記止め具とが係着されて前記緩衝部材と便座又は便蓋が固定されることを特徴とする緩衝部材を備えた便座又は便蓋である。
【０００８】
上記第１の技術的手段による効果は、以下のようである。
【０００９】
即ち、便座や便蓋の開閉等の衝撃や劣化等で緩衝部材が簡単に外れてしまわない強固な緩衝部材を備えた便座又は便蓋であるという効果を有する。
【００１０】
上記技術的課題を解決するために、本発明の請求項２において講じた技術的手段（以下、第２の技術的手段と称する。）は、前記便座又は便蓋にはリブが形成され、前記緩衝部材の足部外周には突起部が形成されており、緩衝部材挿入時、前記リブと前記突起部が弾性的に圧着されて緩衝部材と便座又は便蓋が固定されることを特徴とする請求項１記載の緩衝部材を備えた便座又は便蓋である。
【００１１】
上記第２の技術的手段による効果は、以下のようである。
【００１２】
即ち、請求項１よりさらに、便座や便蓋の開閉等の衝撃や劣化等で緩衝部材が簡単に外れてしまわない強固な緩衝部材を備えた便座又は便蓋であるという効果を有する。
【００１３】
【発明の実施の形態】
以下、本発明の実施例について、図面に基づいて説明する。
【００１４】
図１は、洋風便器において、便座２（左半分のみを示す）及び便蓋３の（右半部のみを示す）を立ち上げた状態を正面図から見た図面である。便座２及び便蓋３の裏面には、その適数箇所に緩衝部材４０、５０が取付けられている。この緩衝部材４０、５０は、閉動衝撃の吸収緩和や使用者が腰掛けた時の荷重吸収のためのものである。
【００１５】
図２は本発明の実施例の分解斜視図である。
【００１６】
図３は、本発明の図１あるいは図２のＡ−Ａ断面に係わる緩衝部材５０を示す断面図である。この緩衝部材５０の上方部には、お椀上のクッション部５が形成されており、その下方部には、下方部周縁に沿って断面ハ状の足部６が延設されている。
【００１７】
クッション部５と足部６との間には段差形状の止め部７が形成されている。足部６にはその外周面に断面円弧状の突起部６Ａが爪部６Ｃの円周上に沿って突設している。足部６の内周面には内から外にかけて広がるように傾斜された傾斜面６Ｂが形成されている。足部６の内方に断面鈎状の爪部６Ｃが形成されている。なおこの緩衝部材５０のクッション部５と足部６は、ゴムあるいはエラストマー樹脂材料等の弾性材料により一体に成形されている。
【００１８】
一方、合成樹脂よりなる便蓋３の内側には、略円筒状のリブ１０が便蓋３と一体的に立設している。さらにその上端部には上記クッション部５の止め部７を受けるための断面Ｌ字状のクッション段差部１０Ａが形成されている。
【００１９】
また便蓋３の内側には便蓋３と一体的に円筒状の第１ボス部１２Ａが突設され、その先端部は該第１ボス部１２Ａより径の小さい第２ボス部１２Ｂが形成され、第１ボス部１２Ａと第２ボス部１２Ｂとの段差部には後述するスプリング止め輪２０を載置するボス段差部１２Ｃが形成されている。
【００２０】
上記ボス段差部１２Ｃには円盤状のスプリング止め輪２０が載置状態で装着される。この止め輪２０はスプリング鋼からなる材料からなり、内方には一体に形成された４つの固定部２０Ａによりその先端が第２ボス部１２Ｂに食い込んで装着されている。
【００２１】
図３のように、便蓋３のボス段差部１２Ｃにスプリング止め輪２０が装着された状態において、上方から緩衝部材５０を挿入するとスプリング止め輪２０の外縁が緩衝部材５０の足部６の傾斜部６Ｂと当接し、さらに挿入するとこの傾斜部６Ｂに沿って、足部６が弾性的に拡開し、さらに挿入することにより、足部６が押し広げた後、スプリング止め輪２０の外縁と爪部６Ｃが引っ掛かる。
【００２２】
また緩衝部材５０が便蓋３に固定された状態では、足部６の外周の突起部６Ａがリブ１０に対して弾性的に押圧している。さらにクッション部５の止め部７がクッション段差部１０Ａとの間で、止められている。
【００２３】
また便蓋３にはリブが形成され、前記緩衝部材の足部の外周には突起部が形成されており、緩衝部材挿入時、前記リブと前記突起部が弾性的に圧着されて緩衝部材と便蓋が固定されているため、さらに強固に緩衝部材と便座とが強固に固定される。
【００２４】
このような構造においては、緩衝部材５０を図４の上方Ｐに引張っても簡単に脱落することはなくなる。また便蓋の開閉等の衝撃や劣化等で緩衝部材が簡単に外れてしまうことがなくなる。
【００２５】
なお本発明の実施例では便蓋に緩衝部材を固定させた構造にて説明したが、便座に利用してもよい。
【００２６】
【発明の効果】
本発明は、以下の如く効果を有する。
【００２７】
便座や便蓋の開閉等の衝撃や劣化等で緩衝部材が簡単に外れてしまうことがなくなる強固な緩衝部材を備えるという効果を有する。
【００２８】
またポリプロピレン等の接着剤が使用できない便座や便蓋に対し緩衝部材を装着する場合においても、本発明は接着剤を全く用いることもなく、その取り付け作業も極めて簡単である。
【図面の簡単な説明】
【図１】本発明の洋風便器における便座及び便蓋を立ち上げた状態を正面側から見た図。
【図２】本発明の便蓋のボス部に緩衝部材、スプリング止め輪を取付ける分解斜視図。
【図３】図２のＡ−Ａ断面図
【図４】図２において緩衝部材を取付けた断面図
【符号の説明】
２・・・便座
３・・・便蓋
５・・・クッション部材
６・・・足部
６Ｃ・・・爪部
１２Ａ・・・ボス部
２０・・・止め具
５０・・・緩衝部材
【図１】
0003952565.tif 000002
【図２】
0003952565.tif 000003
【図３】
0003952565.tif 000004
【図４】
0003952565.tif 000005